(57)【要約】【課題】スピーカを聴取者の近傍に設置して音響を再生する場合に、聴取者の耳が高い音圧にさらされることを防止できるようにする。【解決手段】距離センサ１２Ｌによって、左スピーカ１１Ｌと聴取者１の左耳２Ｌとの距離を計測し、距離センサ１２Ｒによって、右スピーカ１１Ｒと聴取者１の右耳２Ｒとの距離を計測する。聴取者１が居眠りをするなどによって、左耳２Ｌが左スピーカ１１Ｌに接触または接近し、または右耳２Ｒが右スピーカ１１Ｒに接触または接近して、いずれか一方の距離が所定時間以上に渡って所定値以下となったとき、再生音量を所定値以下に絞る。これと並行して、左スピーカ１１Ｌおよび右スピーカ１１Ｒに供給される音声信号のレベルを監視し、そのレベルが所定時間内で所定サンプル数以上に渡って所定値以上となったとき、聴取者に警告をする。【選択図】図１
2008193394.tif 000002
【特許請求の範囲】
【請求項１】
スピーカと聴取者の耳との距離を計測し、その距離が所定時間以上に渡って所定値以下となったとき、再生音量を所定値以下に絞ることを特徴とする音響再生方法。
【請求項２】
請求項１の音響再生方法において、
上記距離として、左スピーカと聴取者の左耳との距離、および右スピーカと聴取者の右耳との距離を計測し、それぞれの距離の差の絶対値が、所定時間以上に渡って所定値以上となったとき、再生音量を所定値以下に絞ることを特徴とする音響再生方法。
【請求項３】
請求項１の音響再生方法において、
上記スピーカに供給される音声信号のレベルを監視し、そのレベルが所定時間内で所定サンプル数以上に渡って所定値以上となったとき、聴取者に警告をし、または再生音量を所定値以下に絞ることを特徴とする音響再生方法。
【請求項４】
請求項１の音響再生方法において、
上記スピーカに供給される音声信号は、音声信号再生装置で記録媒体から再生されるものであり、
上記距離が所定時間以上に渡って所定値以下となったとき、上記音声信号再生装置をポーズ状態とする、
ことを特徴とする音響再生方法。
【請求項５】
請求項１の音響再生方法において、
上記スピーカに供給される音声信号は、音声信号受信装置で受信されるものであり、
上記距離が所定時間以上に渡って所定値以下となったとき、音声信号記録装置に対して上記音声信号受信装置で受信された音声信号を記録させる、
ことを特徴とする音響再生方法。
【請求項６】
スピーカと、
このスピーカと聴取者の耳との距離を計測する距離センサと、
この距離センサによって計測された距離が所定時間以上に渡って所定値以下となったとき、再生音量を所定値以下に絞る制御部と、
を備えることを特徴とする音響再生システム。
【請求項７】
請求項６の音響再生システムにおいて、
上記スピーカとして、左スピーカおよび右スピーカを有し、
上記距離センサとして、上記左スピーカと聴取者の左耳との距離を計測する左側距離センサ、および上記右スピーカと聴取者の右耳との距離を計測する右側距離センサを有し、
上記制御部は、上記左側距離センサによって計測された距離と上記右側距離センサによって計測された距離との差の絶対値が、所定時間以上に渡って所定値以上となったとき、再生音量を所定値以下に絞る、
ことを特徴とする音響再生システム。
【請求項８】
請求項６の音響再生システムにおいて、
上記制御部は、上記スピーカに供給される音声信号のレベルを監視し、そのレベルが所定時間内で所定サンプル数以上に渡って所定値以上となったとき、聴取者に警告をし、または再生音量を所定値以下に絞ることを特徴とする音響再生システム。
【請求項９】
請求項６の音響再生システムにおいて、
当該の音響再生システムは、信号源からの音声信号を送信するソース側送受信機と、このソース側送受信機から送信された音声信号を受信して上記スピーカに供給する音声出力側送受信機とを備えることを特徴とする音響再生システム。
【発明の詳細な説明】
【技術分野】
【０００１】
この発明は、スピーカによって音響を再生する方法およびシステムに関する。
【背景技術】
【０００２】
スピーカによって音響を再生する場合、従来、スピーカは聴取者に対して一定距離以上離して設置するが、例えば、一対のスピーカを聴取者の側方の聴取者に近い位置に設置することが考えられる。
【０００３】
例えば、特許文献１（特開２００６−３４５４８０号公報）には、聴取者の左右の耳の近傍にスピーカユニットを、振動板の前後から出る音を加算できるように、バッフル板に取り付けることなく保持し、入力音声信号を仮想音源処理して、上記スピーカユニットによってマルチチャンネルサラウンド音声を再生することが示されている。
【０００４】
マルチチャンネルサラウンド対応ではなくても、聴取者が車両や航空機の座席で音楽を聴く場合などに、一対のスピーカを聴取者の側方の聴取者に近い位置に設置して音響を再生することが考えられる。
【０００５】
上に挙げた先行技術文献は、以下の通りである。
【特許文献１】特開２００６−３４５４８０号公報
【発明の開示】
【発明が解決しようとする課題】
【０００６】
スピーカによって音響を再生する場合、上記のように従来は、スピーカを聴取者に対して一定距離以上、具体的には１ｍ以上離して設置することが常識であったが、上述したようにスピーカを聴取者の近傍に設置すると、問題がある。
【０００７】
具体的に、音響再生中に、聴取者が、居眠りをして、または目を覚ましているが、頭を左右方向に傾け、耳をスピーカに接触または接近させることである。
【０００８】
このとき、スピーカでの再生音量が高く、しかも、聴取者の耳がスピーカに接触または接近した状態が、ある時間以上に渡って継続すると、聴取者の耳が高い音圧にさらされることになり、聴取者の耳を保護する観点から、好ましくない。
【０００９】
そこで、この発明は、スピーカを聴取者の近傍に設置して音響を再生する場合に、聴取者の耳が高い音圧にさらされることを防止することができるようにしたものである。
【課題を解決するための手段】
【００１０】
この発明の音響再生方法は、
スピーカと聴取者の耳との距離を計測し、その距離が所定時間以上に渡って所定値以下となったとき、再生音量を所定値以下に絞ることを特徴とする。
【００１１】
上記の音響再生方法では、音響再生中に、聴取者が、居眠りをし、または目を覚ましているが、頭を左右方向に傾けて、耳をスピーカに接触または接近させ、しかも、その状態が所定時間以上に渡って継続すると、音響再生システムの制御によって、再生音量が所定値以下に絞られる。したがって、聴取者の耳が高い音圧にさらされることが防止される。
【発明の効果】
【００１２】
以上のように、この発明によれば、スピーカを聴取者の近傍に設置して音響を再生する場合に、聴取者の耳が高い音圧にさらされることを防止することができる。
【発明を実施するための最良の形態】
【００１３】
［１．システム構成：図１〜図５］
（１−１．システム全体：図１）
図１は、この発明の音響再生システムの一例を示す。
【００１４】
この例は、音楽などの音声を再生するだけでなく、映像も再生するものであり、具体的には、テレビおよびＤＶＤ（Ｄｉｇｉｔａｌ  Ｖｅｒｓａｔｉｌｅ  Ｄｉｓｃ）の映像および音声を再生するシステムである。
【００１５】
この例のシステムは、スピーカ装置１０、バイブレータ２０、音声出力側送受信機３０、テレビ放送受信装置５０、ＤＶＤ記録再生装置６０、ディスプレイ装置７０、およびソース側送受信機８０によって構成される。
【００１６】
スピーカ装置１０は、左スピーカ１１Ｌおよび右スピーカ１１Ｒを、互いに例えば６０ｃｍ程度の距離で対向し、それぞれ聴取者１の左耳２Ｌおよび右耳２Ｒと対向するように設置し、左スピーカ１１Ｌの外側に距離センサ１２Ｌを配置し、右スピーカ１１Ｒの外側に距離センサ１２Ｒを配置したものである。
【００１７】
左スピーカ１１Ｌおよび右スピーカ１１Ｒは、例えば、それぞれエンクロージャ（スピーカボックス）を持たないものとする。
【００１８】
距離センサ１２Ｌは、左スピーカ１１Ｌと聴取者１の左耳２Ｌとの距離を計測し、距離センサ１２Ｒは、右スピーカ１１Ｒと聴取者１の右耳２Ｒとの距離を計測するものである。
【００１９】
通常の状態では、図示するように、聴取者１の頭は、左スピーカ１１Ｌおよび右スピーカ１１Ｒに対して、ほぼ真ん中に位置し、左スピーカ１１Ｌと聴取者１の左耳２Ｌとの距離と、右スピーカ１１Ｒと聴取者１の右耳２Ｒとの距離とは、ほぼ等しい。
【００２０】
バイブレータ２０は、後述のように聴取者１に警告をするために、聴取者１の身体に振動が与えるものである。
【００２１】
例えば、聴取者１が車両や航空機の座席で映像および音声を視聴する場合、バイブレータ２０は、座席の適切な箇所に取り付ける。
【００２２】
音声出力側送受信機３０は、左スピーカ１１Ｌおよび右スピーカ１１Ｒに音声信号ＡＬおよびＡＲを供給し、距離センサ１２Ｌおよび１２Ｒの出力電圧ＶｌおよびＶｒを取り込み、駆動信号ＶＤによってバイブレータ２０を駆動するほか、後述のようにソース側送受信機８０との間で信号を送受する。
【００２３】
テレビ放送受信装置５０は、地上デジタル放送などのテレビ放送を受信し、テレビの映像信号および音声信号を出力する。その出力の映像信号はディスプレイ装置７０に送出され、音声信号はソース側送受信機８０に送出される。
【００２４】
また、テレビ放送受信装置５０の出力の映像信号および音声信号は、ＤＶＤへの記録用にＤＶＤ記録再生装置６０に送出される。
【００２５】
ＤＶＤ記録再生装置６０は、これに装填されたＤＶＤに映像信号および音声信号を記録するとともに、ＤＶＤから映像信号および音声信号を再生するものである。
【００２６】
ＤＶＤ記録再生装置６０の出力の再生映像信号は、ディスプレイ装置７０に送出され、再生音声信号は、光信号に変換されて、ソース側送受信機８０に送出される。
【００２７】
ディスプレイ装置７０は、液晶ディスプレイパネルや有機ＥＬディスプレイパネルなどによって構成される。
【００２８】
ソース側送受信機８０は、テレビ放送受信装置５０およびＤＶＤ記録再生装置６０の出力の音声信号を取り込み、ＤＶＤ記録再生装置６０に後述のような制御信号を送出するほか、後述のように音声出力側送受信機３０との間で信号を送受する。
【００２９】
この例のシステムでは、以下の３つのモード中のいずれかによって音響が再生される。
【００３０】
（ａ）第１は、テレビの映像および音声を受信しているだけで、ＤＶＤ記録再生装置６０でテレビの映像および音声を記録していない場合である。このモードを、記録ＯＦＦモードと称する。
【００３１】
（ｂ）第２は、テレビの映像および音声を受信しているとともに、ＤＶＤ記録再生装置６０でテレビの映像および音声を記録している場合である。このモードを、記録ＯＮモードと称する。
【００３２】
（ｃ）第３は、ＤＶＤ記録再生装置６０で映像および音声を再生している場合である。このモードを、ＤＶＤ再生モードと称する。
【００３３】
（１−２．音声出力側送受信機およびソース側送受信機：図２）
図２に、音声出力側送受信機３０およびソース側送受信機８０の一例を示す。
【００３４】
音声出力側送受信機３０は、ＣＰＵ３１を有し、そのバス３４に、プログラムやデータが書き込まれるＲＯＭ３２、およびプログラムやデータが展開されるＲＡＭ３３が接続されて、制御部４１が構成される。
【００３５】
さらに、バス３４には、距離センサ１２Ｌおよび１２Ｒの出力電圧ＶｌおよびＶｒを取り込んで処理する入力インタフェース３５、音声処理部４２、音声信号ＡＬおよびＡＲを左スピーカ１１Ｌおよび右スピーカ１１Ｒに送出する出力インタフェース３６、駆動信号ＶＤを出力する駆動回路４３、および送受信部３８が接続され、出力インタフェース３６に音量調整器３７が設けられ、送受信部３８にアンテナ３９が接続される。
【００３６】
ソース側送受信機８０は、ＣＰＵ８１を有し、そのバス８４に、プログラムやデータが書き込まれるＲＯＭ８２、およびプログラムやデータが展開されるＲＡＭ８３が接続されて、制御部９１が構成される。
【００３７】
さらに、バス８４には、テレビ音声出力を取り込む入力インタフェース８５、上記の光信号を受信してＤＶＤ音声出力を取り込む受光部８６、ＤＶＤ記録再生装置６０に制御信号を送出する出力インタフェース８７、音声処理部９２、および送受信部８８が接続され、送受信部８８にアンテナ８９が接続される。
【００３８】
ソース側送受信機８０では、テレビ放送受信装置５０の出力の音声信号が、入力インタフェース８５によって取り込まれ、ＤＶＤ記録再生装置６０の出力の再生音声信号が、受光部８６によって取り込まれ、それぞれ、音声処理部９２で処理されて、送受信部８８によって音声出力側送受信機３０に送信される。
【００３９】
音声処理部９２では、モノラル音声信号、ステレオ音声信号、および５．１チャンネルなどのマルチチャンネルのサラウンド音声信号が、それぞれ、定められた位置に音像が定位されるように処理される。
【００４０】
音声出力側送受信機３０では、ソース側送受信機８０から送信された音声信号が、送受信部３８によって受信され、音声処理部４２で処理されて、出力インタフェース３６によって、音声信号ＡＬおよびＡＲとして左スピーカ１１Ｌおよび右スピーカ１１Ｒに供給される。
【００４１】
また、音声出力側送受信機３０では、距離センサ１２Ｌおよび１２Ｒの出力電圧ＶｌおよびＶｒが、入力インタフェース３５によって取り込まれ、さらに制御部４１によって後述のように演算され、その演算後の距離計測値が、送受信部３８によってソース側送受信機８０に送信される。
【００４２】
さらに、音声出力側送受信機３０では、出力インタフェース３６の状態から、制御部４１によって再生音量が検出され、その再生音量検出値が、送受信部３８によってソース側送受信機８０に送信される。
【００４３】
ソース側送受信機８０では、音声出力側送受信機３０から送信された距離計測値および再生音量検出値が、送受信部８８によって受信され、制御部９１によって、再生音量を絞るべきか否かが判断される。
【００４４】
そして、ソース側送受信機８０の制御部９１は、再生音量を絞るべきと判断したときには、再生音量を絞るべき旨のコマンドを、送受信部８８によって音声出力側送受信機３０に送信するとともに、そのときのＤＶＤ記録再生装置６０の状態に応じた制御信号を、出力インタフェース８７によってＤＶＤ記録再生装置６０に送出する。
【００４５】
音声出力側送受信機３０の制御部４１は、上記のコマンドを受信したら、再生音量を所定値以下とするように出力インタフェース３６を制御する。
【００４６】
また、ソース側送受信機８０の制御部９１は、音声出力側送受信機３０に送信する音声信号のレベルを監視して、後述の条件を満たしたとき、警告をすべき旨のコマンドを、送受信部８８によって音声出力側送受信機３０に送信し、音声出力側送受信機３０の制御部４１は、そのコマンドを受信したら、駆動回路４３から駆動信号ＶＤを出力させる。
【００４７】
（１−３．距離計測：図３〜図５）
図３に、距離センサ１２Ｌおよび１２Ｒによる距離計測の一例を示す。
【００４８】
この例では、距離センサ１２Ｌおよび１２Ｒは、それぞれ、距離センサ１２として示すように、物体５に光１５を照射し、物体５で反射した光１６を受光して、その受光量を検出するものである。
【００４９】
図４に示すように、距離センサ１２と物体５との距離Ｄｘが大きくなるに従って、受光量が減少し、距離センサ１２の出力電圧Ｖｏｕｔが低下する。したがって、出力電圧Ｖｏｕｔから、距離Ｄｘを知ることができる。このような距離センサ自体は、公知である。
【００５０】
図１の例のシステムでは、このような原理を利用して、距離センサ１２Ｌによって、左スピーカ１１Ｌと聴取者１の左耳２Ｌとの距離を計測し、距離センサ１２Ｒによって、右スピーカ１１Ｒと聴取者１の右耳２Ｒとの距離を計測する。
【００５１】
この場合、聴取者１の左スピーカ１１Ｌおよび右スピーカ１１Ｒに対する位置関係は、図５（Ａ）（Ｂ）（Ｃ）に示すように変化し得る。
【００５２】
図５（Ａ）は、聴取者１の頭が、左スピーカ１１Ｌおよび右スピーカ１１Ｒに対して、真ん中に位置し、左スピーカ１１Ｌと聴取者１の左耳２Ｌとの距離と、右スピーカ１１Ｒと聴取者１の右耳２Ｒとの距離とが、それぞれＤｃで表されるように、等しいときである。
【００５３】
したがって、距離センサ１２Ｌの出力電圧をＶｌ、距離センサ１２Ｒの出力電圧をＶｒ、両者の差の電圧をＶｄとすると、このとき、Ｖｄ＝Ｖｌ−Ｖｒ＝０である。
【００５４】
図５（Ｂ）は、聴取者１が居眠りをするなどによって、聴取者１の頭が左側に傾き、左耳２Ｌが左スピーカ１１Ｌに接触しているときである。
【００５５】
このとき、左スピーカ１１Ｌと左耳２Ｌとの距離は最小、右スピーカ１１Ｒと右耳２Ｒとの距離は最大となり、電圧Ｖｄは、Ｖｄ＝Ｖｌ−Ｖｒ＝Ｖｍａｘで表されるように、正の最大値となる。
【００５６】
図５（Ｃ）は、逆に、聴取者１の頭が右側に傾き、右耳２Ｒが右スピーカ１１Ｒに接触しているときである。
【００５７】
このとき、右スピーカ１１Ｒと右耳２Ｒとの距離は最小、左スピーカ１１Ｌと左耳２Ｌとの距離は最大となり、電圧Ｖｄは、Ｖｄ＝Ｖｌ−Ｖｒ＝−Ｖｍａｘで表されるように、負の最大値となる。
【００５８】
図１の例のシステムでは、音声出力側送受信機３０の制御部４１で、距離センサ１２Ｌの出力電圧Ｖｌと距離センサ１２Ｒの出力電圧Ｖｒとの差の電圧Ｖｄを算出する。これによれば、距離の検出感度が２倍になる。
【００５９】
音声出力側送受信機３０の制御部４１は、この電圧Ｖｄを示す信号を、距離計測値としてソース側送受信機８０に送信し、ソース側送受信機８０の制御部９１は、この電圧Ｖｄの絶対値が所定値Ｖｔｈ以上であるとき、左スピーカ１１Ｌと左耳２Ｌとの距離、または右スピーカ１１Ｒと右耳２Ｒとの距離が、所定値Ｄｔｈ以下であると判断する。もちろん、Ｖｔｈ＜Ｖｍａｘとし、Ｄｔｈ＜Ｄｃとする。具体的に、Ｄｔｈは、数ｃｍ以下、例えば２ｃｍに設定する。
【００６０】
［２．音響再生方法：図６〜図１０］
（２−１．距離計測による再生音量の制御：図６および図７）
図１の例のシステムで音響を再生する際、ソース側送受信機８０の制御部９１は、音声出力側送受信機３０から送信された距離計測値、すなわち上記の電圧Ｖｄから、左スピーカ１１Ｌと左耳２Ｌとの距離、または右スピーカ１１Ｒと右耳２Ｒとの距離が、所定時間以上に渡って上記の所定値Ｄｔｈ以下となったとき、音声出力側送受信機３０にコマンドを送信して、左スピーカ１１Ｌおよび右スピーカ１１Ｒでの再生音量を所定値以下に絞る。
【００６１】
図６および図７に、この場合にソース側送受信機８０の制御部９１が実行する監視制御処理の一例を示す。
【００６２】
なお、以下において、「距離が所定値Ｄｔｈ以下ではない（所定値Ｄｔｈを超える）」とは、左スピーカ１１Ｌと左耳２Ｌとの距離、および右スピーカ１１Ｒと右耳２Ｒとの距離の、いずれもが、所定値Ｄｔｈを超えることであり、「距離が所定値Ｄｔｈ以下である」とは、左スピーカ１１Ｌと左耳２Ｌとの距離、および右スピーカ１１Ｒと右耳２Ｒとの距離の、いずれか一方のみが、所定値Ｄｔｈ以下であることである。
【００６３】
ソース側送受信機８０の制御部９１は、システムの電源がＯＮにされることによって監視制御処理を開始して、まずステップ１１１で、時間計測用カウンタのカウント値Ｃｔを０にし、次にステップ１１２で、音声出力側送受信機３０から送信された距離計測値を読み込み、次にステップ１１３で、その距離計測値から、距離が所定値Ｄｔｈ（例えば上記のように２ｃｍ）以下であるか否かを判断する。
【００６４】
そして、距離が所定値Ｄｔｈ以下ではないときには、ステップ１１３からステップ１１１に戻って、カウント値Ｃｔを０にして、時間の計測を開始し直す。
【００６５】
一方、距離が所定値Ｄｔｈ以下であるときには、ステップ１１３からステップ１１４に進んで、カウント値Ｃｔを１だけインクリメントし、さらにステップ１１５に進んで、カウント値Ｃｔが６０を超えたか否かを判断する。
【００６６】
そして、カウント値Ｃｔが６０を超えていなければ、ステップ１１５からステップ１１６に進んで、１秒間待機した上で、ステップ１１２に戻って、次の距離計測値を読み込み、ステップ１１３で、その距離計測値から、距離が所定値Ｄｔｈ以下であるか否かを判断する。
【００６７】
一方、カウント値Ｃｔが６０を超えたら、距離が６０秒間以上に渡って所定値Ｄｔｈ以下となったものとして、ステップ１１５からステップ１１７に進んで、再生音量を所定値以下に絞ることを指示するコマンドを音声出力側送受信機３０に送信する。
【００６８】
これによって、音声出力側送受信機３０の制御部４１は、再生音量を所定値以下に絞り、聴取者１の左耳２Ｌおよび右耳２Ｒが高い音圧にさらされることが防止される。
【００６９】
ソース側送受信機８０の制御部９１は、ステップ１１７で音声出力側送受信機３０にコマンドを送信したら、さらにステップ１２１に進んで、当該システムが上記（ｃ）のＤＶＤ再生モードであるか否かを判断し、ＤＶＤ再生モードであるときには、ステップ１２２に進んで、ＤＶＤ記録再生装置６０にポーズ状態とすべき旨を指示する制御信号を送出して、ステップ１２５に進む。
【００７０】
これによって、ＤＶＤ記録再生装置６０では、ＤＶＤからの映像および音声の再生が停止され、聴取者１は、目を覚ましたとき、居眠りをした直後の部分から映像および音声を直ちに再生視聴することができる。
【００７１】
当該システムが上記（ｃ）のＤＶＤ再生モードではないときには、ソース側送受信機８０の制御部９１は、ステップ１２１からステップ１２３に進んで、当該システムが上記（ａ）の記録ＯＦＦモードであるか否かを判断し、記録ＯＦＦモードであるときには、ステップ１２４に進んで、ＤＶＤ記録再生装置６０にテレビの映像および音声を記録すべき旨を指示する制御信号を送出して、ステップ１２５に進む。
【００７２】
これによって、ＤＶＤ記録再生装置６０では、テレビ放送受信装置５０で受信されたテレビの映像および音声がＤＶＤに記録され、聴取者１は、目を覚ましたとき、居眠りをしている間に見逃していた映像および聴き逃していた音声を再生視聴することができる。
【００７３】
当該システムが、ＤＶＤ再生モードではなく、記録ＯＦＦモードでもないとき、すなわち上記（ｂ）の記録ＯＮモードであるときには、ステップ１２３から、そのままステップ１２５に進む。
【００７４】
ステップ１２５では、対応処理として、その後の聴取者１の操作などに応じた処理を実行する。
【００７５】
以上の監視制御処理は、距離が所定時間以上に渡って所定値Ｄｔｈ以下となったとき、再生音量が所定値以下になっているか否かにかかわらず、再生音量を所定値以下に絞ることを指示するコマンドを音声出力側送受信機３０に送信する場合であるが、このとき、音声出力側送受信機３０から送信された再生音量検出値から、再生音量が所定値を超えていると判断したときにのみ、再生音量を所定値以下に絞ることを指示するコマンドを音声出力側送受信機３０に送信するように構成してもよい。
【００７６】
（２−２．音声信号レベルの監視による警告または音量制御：図８〜図１０）
図１の例のシステムでは、ソース側送受信機８０の制御部９１は、上述した距離計測による再生音量の制御と並行して、音声出力側送受信機３０に送信する音声信号のレベルを監視し、そのレベルが所定時間内で所定サンプル数以上に渡って所定値以上となったとき、聴取者１に警告をし、または再生音量を所定値以下に絞る。
【００７７】
例えば、ソース側送受信機８０の制御部９１は、デジタル信号とされている音声信号の１サンプルごとの数値の絶対値を１０２４サンプル分、加重平均した値を、１単位サンプルのレベル値として、図８に示すように、各単位サンプルのレベル値を検出する。
【００７８】
音声信号の標本化周波数が４８ｋＨｚであるとき、１秒間では約４７個の、１分間では約２８１２個の、単位サンプルが得られる。
【００７９】
その中で、最大値に対して−６ｄＢの値Ｌｈより高いレベル値の単位サンプルが１分間に１０００個以上あったとき、ソース側送受信機８０の制御部９１は、音声信号が高レベル領域にあると判断する。
【００８０】
さらに、ソース側送受信機８０の制御部９１は、音声出力側送受信機３０から送信された再生音量検出値で示される再生音量も考慮して、上記のように音声信号が高レベル領域にあり、かつ再生音量が比較的大きな所定値Ｎを超えるとき、聴取者１への警告を指示するコマンド、または再生音量を所定値Ｎ以下に絞ることを指示するコマンドを音声出力側送受信機３０に送信する。
【００８１】
所定値Ｎは、聴取者１の耳に与えられる音圧が１００ｄＢＳＰＬ以下となる値とすることが望ましい。
【００８２】
図９および図１０に、ソース側送受信機８０の制御部９１が実行する以上のような監視制御処理の一例を示す。
【００８３】
この例では、ソース側送受信機８０の制御部９１は、システムの電源がＯＮにされることによって監視制御処理を開始して、まずステップ１３１で、タイマーをセットし、単位サンプル計数用カウンタのカウント値Ｃｓを０にする。
【００８４】
次に、ステップ１３２で、音声出力側送受信機３０に送信する音声信号の単位サンプルのレベル値を検出し、さらにステップ１３３に進んで、そのレベル値が上記の値Ｌｈより高いか否かを判断する。
【００８５】
そして、単位サンプルのレベル値が上記の値Ｌｈより高いときには、ステップ１３３からステップ１３４に進んで、カウント値Ｃｓを１だけインクリメントして、ステップ１３５に進み、単位サンプルのレベル値が上記の値Ｌｈ以下であるときには、ステップ１３３から、そのままステップ１３５に進む。
【００８６】
ステップ１３５では、タイマーの時間が６０秒を過ぎているか否かを判断し、６０秒を過ぎていないときには、ステップ１３２に戻って、音声信号の次の単位サンプルのレベル値を検出し、ステップ１３３で、そのレベル値が上記の値Ｌｈより高いか否かを判断する。
【００８７】
タイマーの時間が６０秒を過ぎているときには、ステップ１３５からステップ１３６に進んで、カウント値Ｃｓが１０００を超えたか否かを判断する。
【００８８】
そして、カウント値Ｃｓが１０００を超えていなければ、音声出力側送受信機３０に送信する音声信号は高レベル領域にないと判断して、ステップ１３６からステップ１３１に戻って、タイマーをセットし直し、カウント値Ｃｓを０にして、音声信号レベルの監視を一から始める。
【００８９】
一方、カウント値Ｃｓが１０００を超えたときには、ステップ１３６からステップ１３７に進んで、音声出力側送受信機３０から送信された再生音量検出値を取り込み、さらにステップ１３８に進んで、その再生音量検出値から、そのときの再生音量が上記の所定値Ｎを超えているか否かを判断する。
【００９０】
そして、そのときの再生音量が所定値Ｎ以下であるときには、ステップ１３８からステップ１３１に戻って、音声信号が高レベル領域にないときと同様に、音声信号レベルの監視を一から始めるが、そのときの再生音量が所定値Ｎを超えているときには、ステップ１３８からステップ１３９に進んで、聴取者１に警告を行うように指示するコマンドを音声出力側送受信機３０に送信する。
【００９１】
これによって、音声出力側送受信機３０の制御部４１は、駆動回路４３によりバイブレータ２０を駆動して、再生音量が大きいことを聴取者１に警告する。
【００９２】
その警告に従って聴取者１が再生音量を下げることによって、周囲に迷惑がかからないようにすることができる。
【００９３】
なお、この場合の警告の方法としては、バイブレータ２０を駆動して聴取者１の身体に振動を与える方法のほかに、システム内に存在する音声データによって左スピーカ１１Ｌおよび右スピーカ１１Ｒから警告音を出力させ、またはディスプレイ装置７０の画面上に再生音量が大きいことを文字や画像で表示するなどの方法を用いることもできる。
【００９４】
また、警告をする代わりに、または警告と共に、上述したように再生音量を所定値以下に絞るようにしてもよい。
【図面の簡単な説明】
【００９５】
【図１】この発明のシステムの一例を示す図である。
【図２】図1のシステム中の送受信機の一例を示す図である。
【図３】距離センサによる距離計測の原理の一例を示す図である。
【図４】距離とセンサ出力電圧との関係の一例を示す図である。
【図５】スピーカと聴取者の耳との距離の変化の様子を示す図である。
【図６】距離計測による監視制御処理の一例の一部を示す図である。
【図７】距離計測による監視制御処理の一例の一部を示す図である。
【図８】音声信号レベルを監視する方法の一例を示す図である。
【図９】音声信号レベル監視および警告の処理の一例の一部を示す図である。
【図１０】音声信号レベル監視および警告の処理の一例の一部を示す図である。
【符号の説明】
【００９６】
主要部については図中に全て記述したので、ここでは省略する。
【図１】
2008193394.tif 000003
【図２】
2008193394.tif 000004
【図３】
2008193394.tif 000005
【図４】
2008193394.tif 000006
【図５】
2008193394.tif 000007
【図６】
2008193394.tif 000008
【図７】
2008193394.tif 000009
【図８】
2008193394.tif 000010
【図９】
2008193394.tif 000011
【図１０】
2008193394.tif 000012